(57)【特許請求の範囲】
【請求項１】
サンプリングされた信号により表されるベクトルの絶対値を推定する方法であって、
サンプリングされた信号を供給する第１ステップと、
各々のサンプリングされた信号の絶対値を生成する第２ステップと、
複数の連続するサンプルの絶対値を同時に供給する第３ステップと、
前記複数のサンプルの絶対値を加算して第１の和を生成する第４ステップと、
前記複数のサンプルの絶対値の最大値を決定する第５ステップと、
前記サンプルの絶対値の最大値に重み付けする第６ステップと、
前記第１の和と、重み付けされた前記最大値とを加算して、近似的な前記ベクトルの絶対値を生成する第７ステップと
を備えることを特徴とする方法。
【請求項２】
前記第４ステップに先立って、各々の前記複数のサンプルの絶対値に重み付けするステップをさらに含むことを特徴とする請求項１に記載の方法。
【請求項３】
前記複数のサンプルの絶対値の数が３であり、前記最大値は係数３により重み付けされることを特徴とする請求項１に記載の方法。
【請求項４】
前記ベクトル絶対値は、項Σ(aiSi)＋Ｃ倍のＭＡＸ(Si) を含む関数によって定められ、Siはサンプルの絶対値であり、Ｃは一定の重み付け係数であり、aiは各々の重み付け係数であることを特徴とする請求項１に記載の方法。
【請求項５】
前記複数のサンプルの絶対値の最小値を決定する第８ステップと、
前記最小値に重み付けする第９ステップと、
重み付けされた前記最小値と、前記第１の和と、重み付けされた前記最大値とを加算して、近似的な前記ベクトルの絶対値を生成する第１０ステップと
をさらに備えることを特徴とする請求項１に記載の方法。
【請求項６】
サンプリングされた信号により表されるベクトルの絶対値を計算する装置であって、
サンプリングされた信号の信号源と、
前記信号源に結合され、各々のサンプリングされた信号の絶対値を生成する絶対値回路と、
前記絶対値回路に結合され、複数の連続するサンプルの絶対値を同時に供給するタップ付遅延線と、
前記タップ付遅延線の各々のタップに結合され、前記複数のサンプルの絶対値を加算する第１の混合回路と、
前記タップ付遅延線に結合されて、前記タップによって供給される前記サンプルの絶対値の最大値を選択する最大値検出器と、
前記混合回路および前記最大値検出器に結合されて、前記サンプルの絶対値の和および前記最大値を加算して、近似的な前記ベクトルの絶対値を生成する第２の混合回路と
を備えたことを特徴とする装置。
【請求項７】
前記第２の混合回路と前記最大値検出器の間に結合された重み付け回路をさらに含むことを特徴とする請求項６に記載の装置。
【請求項８】
各々のタップと前記第１の混合回路の間に結合された各々の重み付け回路をさらに含むことを特徴とする請求項７に記載の装置。
【請求項９】
前記サンプリングされた信号は、ビデオ信号のクロミナンス成分であり、
前記装置は、
前記ビデオ信号をくし形フィルタリングするためのソフトスイッチを含むくし形フィルタと、
前記第２の混合回路と前記ソフトスイッチの制御入力接続点との間に結合された制御信号生成回路と
をさらに含むことを特徴とする請求項６に記載の装置。
【請求項１０】
前記各々のタップに結合されて、前記タップにより供給される最小絶対値を選択する最小値選択器と、
前記最小値選択器に結合されて重み付けられた最小絶対値を供給する重み付け回路とを含み、
前記重み付けられた最小絶対値は前記第２の混合回路に接続されたことを特徴とする請求項６に記載の装置。
【発明の詳細な説明】
【０００１】
【発明の属する技術分野】
本発明は、ベクトル形式の情報を伝達する電子信号を処理するための回路に関する。当該信号の例としては、合成ビデオ信号のクロミナンス成分が挙げられる。本発明は、一部に、サンプリングされた信号のベクトルの絶対値を決定にすることに対して向けられる。
【０００２】
【従来の技術】
それぞれの信号のサンプルがベクトルの直交成分である場合には、それら直交成分の２乗和の平方根を生成することよってベクトルの絶対値を求めることができる。その関数は、コンピュータで計算できる程度に簡潔であるが、ビデオサンプルの速度で、その関数を実行しうる回路を実現することは困難である。それぞれの信号サンプルが直交成分でない場合は、２乗和のアルゴリズムから所望の結果は得られない。
【０００３】
くし形フィルタは、ビデオ信号の周波数インタリーブ成分を分離するのに好ましい回路である。これらのうち、３ライン適応くし形フィルタは、コストパフォーマンス上のトレードオフが最良である。３ライン適応くし形フィルタは、２つの１ライン遅延を利用して、３つの連続ビデオラインから同時に信号を供給する。適応制御回路は、中間ラインからのビデオ信号と組み合わせられる第１及び最終ラインからの信号の比率を求めて、分離されたビデオ信号成分を生成する。
【０００４】
【発明が解決しようとする課題】
ある信号条件のもとでは、適応くし形フィルタは、望ましくないハンギングドットを生成することになる。それぞれのラインにおいて、クロミナンス情報を表すベクトルの絶対値を使用して生成された制御信号は、適応くし形フィルタによる望ましくないハンギングドットを最小化するのに有効であることが確認された。したがって、ビデオ速度でベクトルの絶対値を生成するための装置が必要である。それぞれのサンプルがベクトルの直交成分でない場合に、サンプリングされた信号内でベクトルの絶対値を生成するための方法および回路が必要であることも明らかになる。
【０００５】
【課題を解決するための手段】
サンプリングされたベクトルの絶対値を生成する方法は、複数の連続サンプルに重み付けをして類似した複数の重み付きサンプルの絶対値を生成し、それら複数のサンプルの最っとも大きいサンプルの絶対値を求め、当該絶対値に重み付けをして最大サンプル値を生成し、その複数の重み付けされたサンプルとその最大値を合計することを含む。
【０００６】
ベクトル絶対値を求めるための装置は、複数のサンプルを同時に生成するためのタップ付遅延線を含む。それぞれの重み付け回路が、それぞれのタップに結合され、重み付けされたサンプルが第１の信号加算器に結合される。最大サンプル値を選択するために、それぞれのタップに最大値検出器が結合される。このサンプル値に重み付けして、それをさらなる信号加算器に適用し、それを第１の信号加算器からの信号出力に加える。
【０００７】
この方法および装置の模範的な利用は、第１および最終ラインからのクロミナンス成分ベクトルの平均絶対値に対するビデオ信号の中間ラインからのクロミナンス成分ベクトルの絶対値の比を用いて、ソフトスイッチを制御して、分離された輝度信号の内容を変更する適応くし形フィルタに見いだされる。
【０００８】
【発明の実施の形態】
本発明の実施形態は、ビデオ信号のくし形フィルタの環境において説明する。ただし、本発明はこの用途に限定されるものではない。
【０００９】
図１は、３ラインくし形フィルタのデジタルバージョンを示す図である。本例では、各ラインにおいてクロミナンス成分が占めるビデオ信号スペクトラムの一部分を、帯域フィルタＢＰＦを介して分離する。これら信号を、適応クロミナンスフィルタで減じながら混合して、くし形フィルタリングされたクロミナンス信号を生成する。くし形フィルタリングされたクロミナンス成分は、１ライン遅延された広帯域ビデオ信号から減じられて、分離された輝度成分を生成する。図１において、３つのラインからの低域フィルタリングされた信号は、垂直ピーキング回路内で比較されて、くし形フィルタリングされた輝度成分に加えられるピーキング信号を生成する。ピーキング信号は、輝度感度を高める傾向がある。
【００１０】
ビデオ信号の隣接するラインの間に高レベルの相関関係があるときは、くし形フィルタは良好に機能する。ビデオ信号の隣接するラインの相関関係が不十分な場合は、くし形フィルタの感度が低下する。クロミナンス垂直ディテールが誤って輝度と解釈されたときに、輝度ドット（または、より厳密には「交差輝度」）が生じる。適応くし形フィルタは、単純くし形フィルタよりもこの問題の影響を受けにくい。なぜなら中間ラインとの相関関係が最も強い第１および最終ラインを中間ラインと混合して信号形式を選択するためである。しかし、適応くし形フィルタであっても、１ラインのクロミナンス波形でビデオを処理するときには、輝度ドットを生じる。好適な例としては、例えば、テレビニュースのヘッドラインを頻繁に強調する赤色の単一ライン、または、株式市場における「側面記事」の周りの囲みを作成するのに使用される細い青色ラインが挙げられる。これらの種類の図形は、現在ではごくありふれている。
【００１１】
問題のラインとその両方の隣接ラインとの間の相関関係が不十分であるため、くし形フィルタは、１ラインクロミナンス波形ではドットを生じる。
【００１２】
部分的には、ライン間の相互関係が低い期間中に、輝度減算器に適用されるくし形フィルタリングされたクロミナンス信号の代わりに帯域フィルタリングされたビデオ信号を選択的に使用することによって、輝度ドットを防ぐことができる。代用期間中に、輝度信号を生成する減算器に適用されるクロミナンス信号は、好ましく相関され、輝度ドットが生じることはない。残念なことに、信号スペクトルのこの帯域通過部分における輝度成分も完全に相関されるため、輝度信号の高周波部が除去される。
【００１３】
減算器に適用されたクロミナンス信号が、帯域クロミナンス信号とくし形フィルタリングされた信号の間で調和するように、ソフトスイッチによって切換えを行う。図１において、ソフトスイッチは、垂直ディテールまたはピーキング信号の絶対値によって制御される。
【００１４】
図２は、図１の装置に比べて、ハンギングドットが著しく削減されているという点において改良された適応くし形フィルタを示す。図２の回路において、ソフトスイッチ制御回路は、第１および最終ラインからの帯域フィルタリングされた信号の絶対値に対する中間ラインからの帯域通過信号の絶対値の比に応答させるのが有利である。より具体的には、ソフトスイッチは、３つのラインに生じるクロミナンスベクトルの比と、垂直ピーキング信号に応じる。
【００１５】
発明人は、以下のソフト切換え基準を遵守すれば、ハンギングドットが最小限に抑えられるものと考える。第１に、ソフトスイッチングは、Ｋ（帯域クロミナンス）＋（１−Ｋ）（くし形フィルタリングされたクロミナンス）の割合で、帯域通過クロミナンスとくし形フィルタリングされたクロミナンスとを混合するように行われるものとする。ただし、Ｋは１以下の変数。第２に、垂直ディテールの絶対値に関して２つのしきい値を確定し、それらのしきい値に従って垂直ディテールの絶対値を格付けする。特に、垂直ディテールがしきい値よりも小さいか、しきい値の間にあるか、またはしきい値よりも大きいかに応じて垂直ディテールを０、１または２とする。それらのしきい値は、２５％の差がある。模範的なしきい値は、ＶＤminおよび５ＶＤmin／４である。第３に、第１の（上部）ビデオラインおよび第３の（下部）ビデオラインのクロミナンスベクトルの絶対値の平均値を計算し、２つの係数によって重み付けをして、２つのさらなるしきい値を生成する。第２の（中間）ラインのクロミナンスベクトルの絶対値をそれら２つのさらなるしきい値と比較し、２つのさらなるしきい値より小さいか、それらの中間にあるか、または大きいかに応じて０、１または２とする。模範的な重み付け係数は、Ｗおよび５Ｗ／４である。最後に、ソフトスイッチ係数Ｋは、表１に示されたマトリックスから求められる。
【００１６】
【表１】
0004776070.tif 000002
【００１７】
一番左の値、すなわちＶＤは、垂直ディテール格で、一番下の値、すなわちＶｍは、ベクトル絶対値格である。表から選択された値を８で割って、それぞれＫの係数を生成する。
【００１８】
図２の垂直ディテール（ＶＤ）またはピーキング信号は、図１と同様に生成される。すなわち、３つのビデオラインの低域フィルタリングされたバージョンを以下の関数に従って混合する。
ＶＤ＝ａｂｃ（Ｍ−（Ｔ＋Ｂ）／２）
ただし、Ｔ、ＭおよびＢは、ビデオ信号の上部、中間および下部の（第１、第２および第３の）ラインからのビデオ信号の低域成分に対応する。低域通過フィルタの３ｄＢ周波数は、１ＭＨｚの程度である。
【００１９】
クロミナンスベクトルは、ＢＰＦ−Ｎに指定された狭帯域の帯域通過フィルタを介して、ビデオ信号の第１、第２および第３のラインから誘導される信号から計算される。ＢＰＦ−Ｎフィルタは、クロミナンス副搬送波周波数および副搬送波周波数から±０．７ＭＨｚの程度の３ｄＢポイントを中心とするスペクトルを有する。
【００２０】
図２の模範的な回路は、ＨＤＴＶ受信装置のアナログＮＴＳＣインタフェースに使用される。この環境において、１８ＭＨｚのサンプリングクロックを使用するのが便利である。その結果、連続クロミナンスサンプルは、直交成分を表さない。したがって、２乗和アルゴリズムの平方根を介して、クロミナンスベクトル絶対値を生成することができない。したがって、クロミナンスベクトルの近似的な絶対値を求めるための方法および回路を考案した。ベクトル絶対値を近似的に求める本発明の方法を数学的に記述すると以下のようになる。
Ｖｍ＝a0s0＋a1s1＋a2s2＋a3s3＋  ansn＋Ｃ*ＭＡＸ（si）＋Ｄ*ＭＩＮ（si）
ただし、siは、連続信号サンプルの絶対値であり、ａl、ＣおよびＤは、重み付け係数であり、ＭＡＸ（si）およびＭＩＮ（si）は、ｎ個のサンプル値の絶対値の最大値および最小値である。数ｎおよび係数の値は、ベクトルを表す信号の周波数とサンプル周波数との比に関連する。１８ＭＨｚでサンプリングされる信号によって表されるＮＴＳＣクロミナンスベクトルの絶対値に近似する関数Ｖｍは、以下のように表される。
Ｖｍ＝ｓ0＋ｓ1＋ｓ2＋３ＭＡＸ（si）
この場合、連続サンプルの数ｎは３であり、すべての係数ａiは、１であり、係数Ｄは、０である。
【００２１】
図３は、このベクトルをリアルタイムで近似するための回路を示す。１８ＭＨｚでサンプリングされたクロミナンス信号は、それぞれの信号サンプルの絶対値を生成する装置３０に適用される。装置３０は、例えばそれぞれのサンプルの符合ビットによって制御される１の相補形回路または２の相補形回路によって実現することができる。絶対値またはそれぞれのサンプルは、縦続接続された１サンプル遅延段３１を含むタップ付遅延線に適用される。タップは、それぞれの遅延線相互接続点でアクセスされる。それぞれのタップにおけるサンプル（係数１によって効果的に重み付けされた）は、Ｓがクロミナンス信号であると仮定すれば、ｓ0＋ｓ1＋ｓ2に等しくなる和Ｓ（１＋ｚ-1＋ｚ-2）を生成する加算機３３に適用される。
【００２２】
それぞれのタップからのサンプル絶対値は、最大絶対値を有するサンプルｓ1を決定する最大値検出器（３７）にも適用される。最大絶対値を有するサンプルは、重み付け回路３４において重み付けされる。本例では、重み付け係数は３である。重み付き最大サンプル値３Ｍａｘ（s1）および和Ｓ（１＋ｚ-1＋ｚ-2）は、連続サンプルＶｍ＝Ｓ（１＋ｚ-1＋ｚ-2）＋３ＭＡＸ（s1）を生成する加算回路３５に適用される。本例では、係数は正規化されていないため、加算器３５の出力は出力値を正規化するスケーラ３６に適用される。本例についての模範的な正規化係数は７／３２でありうる。
【００２３】
図３の装置は、本発明によるベクトル絶対値検出器を単純化したバージョンである。それは、９０％を超える精度でベクトル絶対値を生成する。図４は、ベクトル絶対値アルゴリズムの実施態様を示す。この実施形態では、結果においてより高い精度を実現することができる。図４では、図３のエレメントと類似したエレメントが同類の名称で示されている。
【００２４】
図３に示されているように、エレメント３０からの絶対値が、縦続接続された１サンプル遅延段３１を含むタップ付遅延線に適用される。タップは、それぞれの遅延線相互接続点においてアクセスされる。それぞれのタップからのサンプルが、それぞれの重み付け回路３２に適用され、それぞれの係数ａiが適用される。係数は、係数入力接続点に直結するか、またはＩ２Ｃバスによって供給することができる。それぞれの重み付け回路からの重み付きサンプルは、和Ｓ（ａ0＋ａ1ｚ-1＋ａ2ｚ-2＋ａnｚ-n）を生成する加算器３３に適用される。
【００２５】
それぞれのタップからのサンプル絶対値は、それぞれサンプル絶対値ｓiの最大値と最小値を決定する最大値検出器３７および最小値検出器３８にも適用される。最大絶対値を有するサンプルは、重み付け回路３４において重み付けされる。最小絶対値を有するサンプルは、重み付け回路３９において重み付けされる。重み付き最大サンプル値Ｃ*ＭＡＸ（s1）、重み付き最小サンプル値Ｃ*ＭＩＮ（s1）および和Ｓ（ａ0＋ａ1ｚ-1＋ａ2ｚ-2＋ａnｓn）は、連続ベクトル絶対値Ｖｍ＝a0s0＋a1s1＋a2s2＋  ansn＋Ｃ*ＭＡＸ（si）＋Ｃ*ＭＩＮ（si）を生成する加算回路３５に適用される。加算回路３５からの出力値は、スケーラ回路３６に類似したスケーラ回路に適用されうる。しかし、係数が正規化されている場合は、スケーラ回路３６は必要とされない。
【００２６】
正規化係数ａ0、ａ1、ａ2、ＣおよびＤを、それぞれ0.33、0.56、0.336、0.28および-0.189に選択し、他のすべての係数を０とすることにより、
Ｖｍ＝0.33ｓ0＋0.56ｓ1＋0.336ｓ2＋0.28ＭＡＸ（si）-0.189ＭＩＮ（si）
のベクトル絶対値が得られる。これらの係数を使用すれば、１．５−％p-pの誤差範囲内で、１８ＭＨｚサンプルについてのクロミナンス信号のベクトル絶対値が生成される。
【００２７】
あるいは、非正規化係数ａ0、ａ1、ａ2、ＣおよびＤを、それぞれ４、７、４、４および−２に選択し、スケーラ３６におけるスケール係数を５／６４とすることにより、２．０％p-pの誤差範囲内で、１８ＭＨｚサンプルについてのクロミナンス信号のベクトル絶対値が得られる。後の例のほうが誤差はわずかに大きいが、たいていの重み付け回路はビットシフタによって実現することができるため、回路ははるかにシンプルである。
【００２８】
サンプル周波数に対するベクトルを表す信号の周波数の比が大きくなるに従って、信号の一周期の大部分を表す傾向にあるサンプルとなるので、信号が劣化する傾向にあるため、計算に使用するサンプルを少なくする必要がある。逆に、その比が小さくなるに従って、計算により多くのサンプルを使用できるが、その必要がない場合もある。例えば、再びクロミナンスベクトルを考慮すれば、ただしこの場合は２７ＭＨｚでサンプリングされた信号によって表されるクロミナンス信号を考慮すれば、関係式
Ｖｍ＝19/128（３ｓ0＋ｓ1＋３ｓ2＋３ＭＡＸ（si）−２ＭＩＮ（si））
に従う３サンプル実施形態から、２％p-pの誤差範囲内でベクトル絶対値が生成される。
【００２９】
図５に、ソフトスイッチ制御信号を生成するために使用するクロミナンスベクトル概算回路と適応くし形フィルタを示す。図５において、ビデオ信号の３つのラインが、１Ｈ遅延線４０および４１から同時に利用できるようになっている。現在のビデオ信号は、それぞれ帯域フィルタ４２、４３および４４に加えられる。帯域通過フィルタは、クロミナンス副搬送波を中心とした１．４ＭＨｚの程度の３ｄＢ帯域幅を有している。帯域通過した信号は、それぞれのベクトル絶対値概算回路４５、４６および４７に結合される。加算器４８において、ビデオ信号の上部および下部ラインから近似ベクトルの絶対値が加算される。エレメント４９において、その加算値を２で割って、これら２つの絶対値の平均値を生成する。その絶対値の平均は、計数回路５１に適用される。スケール係数値が、計数回路の乗数入力６１に適応される。Ｉ２Ｃバスを介するシステム制御装置は、このスケール係数を供給することもできるし、またはこのスケール係数を固定値とすることもできる。計数回路の出力は、第１のしきい値ＴＨ１である。しきい値ＴＨ１は、コンパレータ５２の第１の入力に適用される。中間ビデオ信号からの近似ベクトルの絶対値は、コンパレータ５２の第２の入力接続点に適用される。例えば、コンパレータ５２は、中間ラインのベクトルについての３つの出力状態０、２および１を、それぞれ第１のしきい値ＴＨ１より小さい、第１のしきい値ＴＨ１のΔ倍より大きい、上記の値の中間にある、として供給する。コンパレータ５２からの出力信号はゲート回路５３に適用される。
【００３０】
中間ビデオラインからのベクトルの絶対値は、コンパレータ５０にも適用される。第２のしきい値ＴＨ２は、コンパレータ５０の第２の入力に適用される。しきい値ＴＨ２は、システム制御装置（図示せず）からＩ２Ｃバスを介して適用したり、または直結された値とすることもできる。しきい値ＴＨ２は、中間ラインにおけるクロミナンス信号の有無を示すクロミナンス信号の最小値を表す。ＴＨ２の代表値は、２０ＩＲＥ程度である。出力がゲート５３の制御入力に結合したコンパレータ５０において、中間ラインのベクトルをしきい値ＴＨ２と比較する。中間ラインのベクトルがしきい値ＴＨ２より小さいか、または大きい場合には、コンパレータ５２によって供給される状態値は、ゲート５３によってそれぞれ阻止されたり、通過させる。
【００３１】
ゲート５３によって供給された値は、ソフトスイッチ制御値Ｋとしてそのまま使用することができる。あるいは、これらの値を加算器５７に適用し、そこでオフセット値を加えることができる。オフセット値は、例えばＩ２Ｃバスを介してシステム制御装置から供給することができる。ベクトル状態値は、ベクトルが３つの絶対値範囲のいずれかにあることを示すだけで、実際の範囲を表さないため、オフセット値を加えることができる。オフセットを加えたベクトル代表値を計数回路５９に適用して、それらの値を１以下の値に正規化する。計数回路５９からの出力値は、Ｋ値の代替形である。
【００３２】
ソフトスイッチ制御信号Ｋの生成に垂直ディテールまたはピーキング信号を使用するのが有利である。これは、垂直ディテールまたはピーキング信号の絶対値を供給する絶対値回路に、垂直ディテールまたはピーキング信号を供給することによって成し遂げられる。これらの絶対値は、コンパレータ５５の第１の入力に適用される。第３のしきい値ＴＨ３は、コンパレータ５５の第２の入力接続点に適用される。コンパレータ５５は、しきい値ＴＨ３に対する垂直ディテールまたはピーキング信号の値に応じて、複数の状態を生成する。例えば、コンパレータ５５は、ＴＨ３より小さい、ＴＨ３のβ倍より大きい、およびＴＨ３とβＴＨ３の中間にある垂直ディテールまたはピーキング信号の絶対値に対して、状態０、２および１をそれぞれ出力する。βの模範的な値は５／４である。しきい値ＴＨ３は、Ｉ２Ｃバスを介してシステム制御装置により供給することができ、ピーキングが開始されるレベルをユーザが調節できるように変数であってもよい。
【００３３】
コンパレータ５５が供給する状態値は、ゲート回路５３が供給する状態値と混合する。その混合状態値は、表１に示されているような値を供給するためにプログラムされたＲＯＭまたはＰＬＡでありうるエレメント５６に適用される。これらの出力値は、模範的な値である。ソフトスイッチに対するどの程度の微調整が望まれるかに応じて、多くのまたは少ない出力値を導入することができる。エレメント５６からの出力値は、ゲート回路５３から直接出力される信号に関して、先に述べた加算器５７に適用される。
【００３４】
適応ビデオ信号くし形フィルタの環境におけるベクトル概算装置について説明した。この装置は、直交変調信号の等化または当該信号の搬送波の修復を行う装置にも応用されることを、信号処理分野の当業者なら認識するであろう。この装置は、ベクトル絶対値回路が包絡線検出器として動作する場合における、直交変調信号の非同期検出に利用することもできる。
【図面の簡単な説明】
【図１】従来技術の適応３ラインくし形フィルタのブロック図である。
【図２】本発明の実施形態を示すブロック図である。
【図３】本発明を実施する回路であって、信号ベクトルの近似値を計算するための回路のブロック図である。
【図４】本発明を実施する回路であって、信号ベクトルの近似値を計算するための回路のブロック図である。
【図５】制御信号を生成して、図２において使用されるソフトスイッチを操作するための模範的な回路のブロック図である。
【符号の説明】
３０    装置
３１    １サンプル遅延段
３２、３４、３９    重み付け回路
３３、３５、４８、５７    加算器
３６    スケーラ
３７    最大値検出器
３８    最小値検出器
４０、４１    遅延線
４２、４３、４４    帯域通過フィルタ
４５、４６、４７    ベクトル絶対値概算回路
４９、５６    エレメント
５０、５２、５５    コンパレータ
５３    ゲート
５９    計数回路
【図１】
0004776070.tif 000003
【図２】
0004776070.tif 000004
【図３】
0004776070.tif 000005
【図４】
0004776070.tif 000006
【図５】
0004776070.tif 000007